(57)【要約】      （修正有）【課題】救命胴衣として生命維持のための最低限の機能を満たす配慮、クッションマットとして避難した場所での体力消耗の防止や休息することへの配慮、避難用品を同時に備える配慮、避難時に持ち運び易さについての配慮が兼ね備えられた防災用クッションマット兼用救命胴囲を提供する。【解決手段】本体は、折り畳み可能に第１浮力体２と第２浮力体と収納部４とが連接して備えられ、該第１浮力体には四角形の開口部２ａを備えるとともに、該開口部に嵌め込んで塞ぐ蓋体２ｂを該開口部の一辺に折り畳み可能に備えてなり、該蓋体は、表側蓋体と裏側蓋体とが折り畳み可能に連接されるとともに、該蓋体が折り畳まれた状態で該第１浮力体の厚みと同一になる。【選択図】図１
2015067267.tif 000002
【特許請求の範囲】
【請求項１】
本体は、折り畳み可能に第１浮力体と第２浮力体と収納部とが連接して備えられ、該第１浮力体には四角形の開口部を備えるとともに、該開口部に嵌め込んで塞ぐ蓋体を該開口部の一辺に折り畳み可能に備えてなり、該蓋体は、表側蓋体と裏側蓋体とが折り畳み可能に連接されるとともに、該蓋体が折り畳まれた状態で該第１浮力体の厚みと同一になることを特徴とする防災用クッションマット兼用救命胴衣。
【請求項２】
該開口部は、該第１浮力体と該第２浮力体とが連接される部分を一辺として、該第１浮力体の幅方向中央に四角形に開口したことを特徴とする請求項１に記載の防災用クッションマット兼用救命胴衣。
【請求項３】
本体は、折り畳み可能に第１浮力体と第２浮力体と収納部とが連接して備えられ、該第１浮力体には四角形の開口部を備えるとともに、該開口部に嵌め込んで塞ぐ蓋体を該開口部の一辺に折り畳み可能に備えてなり、該蓋体は、表側蓋体と裏側蓋体とが折り畳み可能に連接されるとともに、該蓋体が折り畳まれた状態で該第１浮力体の厚みと同一になるように備えてなり、該本体をクッションマットとして使用したときに該第１浮力体は、身体の腰部から大腿部の範囲に敷かれ、該第２浮力体は、身体の肩部から腰部の範囲に敷かれ、該収納部は、身体の頭部から頚部を支えるように構成され、該本体を救命胴衣として使用したときに該第１浮力体は、頭部を支持し、該第２浮力体は、身体の胴体前面を支持し、該収納部は、該第２浮力体の補助浮力となるように構成されたことを特徴とする請求項１または請求項２の何れかに記載の防災用クッションマット兼用救命胴衣。
【請求項４】
該第２浮力体には、縦方向中央にスライドファスナーが備えられて該第２浮力体を左右に分割可能とし、該収納部は、該第２浮力体が縦方向中央で左右に分割されたことに伴って左右に離間するように左右別体として備え、該本体を救命胴衣として使用したときに身体に装着した該本体の前面を大きく開放できることを特徴とする請求項１乃至請求項３の何れかに記載の防災用クッションマット兼用救命胴衣。
【請求項５】
該収納部に水抜き部を備え、該本体を救命胴衣として使用したときに該収納部に侵入した水を水抜き部から排出して該本体の重量を軽くするようにしたことを特徴とする請求項１乃至請求項４の何れかに記載の防災用クッションマット兼用救命胴衣。
【請求項６】
一端を該裏側蓋体の開放側の一辺の左右両端部に取り付けられ、逆側の一端を第２浮力体の該収納部と連接される辺の幅方向両端に取り付けられた左右一対の肩ベルトを備え、該肩ベルトは、該本体を折り畳んだ状態のときには該本体を背負うためのベルトとして使用され、該本体を救命胴衣として使用したときには身体のウェストを固定するためのベルトとして使用されることを特徴とする請求項１乃至請求項５の何れかに記載の防災用クッションマット兼用救命胴衣。
【請求項７】
該第２浮力体の該収納部と連接される辺の幅方向に左右一対の脚ベルトを備え、該脚ベルトは、該本体を救命胴衣として使用するときに身体の脚の股部分を固定するためのベルトとして使用されることを特徴とする請求項１乃至請求項６の何れかに記載の防災用クッションマット兼用救命胴衣。
【発明の詳細な説明】
【技術分野】
【０００１】  本発明は、津波や洪水などの災害時に、クッションマットとして利用することができる救命胴衣に関するものである。
【背景技術】
【０００２】  従来、津波や洪水などの災害時に救命胴衣として利用することができるクッションが多々提案されている。これらのクッション兼用の救命胴衣は、通常は座布団や椅子の敷物としての形態やリュックサックとしての形態で、災害時に救命胴衣として使用することができることを特徴としている。【０００３】  例えば、実用新案登録第３１８０６５２号公報（特許文献１）の防災クッションは、使用形態を防災頭巾や救命胴衣に変更可能な防災クッションである。具体的には、クッション性と浮力を有し、長方形で板状の二つ折りに折り畳み可能な防災クッションにおいて、その使用形態を頭巾や救命胴衣に変更可能としたもので、クッション部分であるフロート材を、二つ折りに折り畳まずに広げた状態にすれば、長い座布団のような形態、二つ折りに折り畳んだ状態にすれば分厚い座布団の形態で使用することが可能になる。また、二つ折りに折り畳んだ状態で線ファスナーを噛み合わせることで防災頭巾のような形態で使用することが可能になる。さらに、二つ折りに折り畳まずに広げた状態で人の胴周りに巻き付けることで腹巻状の救命胴衣の形態にして使用することが可能になる（段落番号００１５から００１７参照）。【０００４】  また、実用新案登録第３１７５０５５号公報（特許文献２）の防災クッションは、緊急時に体型に合わせて簡単に調整できる救命胴衣を収容して、常時は椅子のクッションとして使用する防災クッションである。具体的には、椅子の座部に対応して上方より見て略正方形状の板状体を収容可能な空間を形成した袋体２と、袋体２の空間に収容可能な救命胴衣３と、救命胴衣３を二つ折りして挟み込むことができる大きさのクッション材４とからなり、二つ折りしたクッション材４で救命胴衣３を挟み込んだ状態で袋体２内に収容されているものである（段落番号００２７参照）。二つ折りしたクッション材４は、救命胴衣３の板状発泡体の硬質感をクッション材４のクッション性素材によって緩和してクッションとしての機能を補助し、二つ折りした際にそれらの対向する端縁を連結可能なスライドファスナー４３によって閉じたときには防災頭巾として使用することができる（段落番号００２７、００２８参照）。また、袋体２は、緊急時において、救命胴衣３及びクッション材４を取り出した際には、それらの収容空間に飲料水や貴重品等の必要最小限の携行品を詰め込むことができ、バンド２２によって、通常、椅子の背部に掛けて椅子からの脱落を防止する一方、避難する際は、肩掛けとして使用することができる（段落番号００２１参照）。このように構成された防災クッションは、救命胴衣３を着用するとともに必要に応じてクッション材４（防災頭巾）を頭部に被り、袋体２に飲料水等を詰め込み、バンド２２を肩にかけることにより、避難の準備が完了する（段落番号００３３から００３５６参照）。【０００５】  さらに、特開２０１３−６５２３号公報（特許文献３）の救命胴衣兼用座布団は、通常は座布団として使用されるが、津波や洪水等による水難事故時には救命胴衣としても利用することが可能な救命胴衣兼用座布団である。具体的には、折畳み可能な浮力部を備え、前記浮力部は、折り畳まれたときに互いに接する第１面及び第２面を有し、���記第１面を有する第１浮力部構成体にはその厚さ方向に沿って貫通孔が形成され、前記第２面を有する第２浮力部構成体には前記貫通孔に嵌り合う凸部が設けられてなるものである（段落番号０００８参照）。この構成によれば、折り畳まれた浮力部は、座布団におけるクッション材として機能可能であると共に、外観上も普通の座布団として認識可能である。そして、折り畳まれた浮力部を展開すると、浮力部の第１面側には貫通孔が出現し、浮力部の第２面側には凸部が出現するので、この貫通孔に使用者が頭部を通すことにより、救命胴衣として機能可能である。上記の構成において、前記浮力部を折り畳んだ状態でカバー内に収容したとき折り畳まれた浮力部は座布団におけるクッション材として機能し、外観上は普通の座布団となる。また、カバーから浮力部を取り出し、折り畳まれた浮力部を展開すると、浮力部の第１面側には貫通孔が出現し、浮力部の第２面側には凸部が出現する。そして、この貫通孔に使用者が頭部を通せば、浮力部が救命胴衣として機能することになる（段落番号０００９参照）。【０００６】  さらにまた、特開２００４−４１３９２号公報（特許文献４）のライフジャケット兼用リュックサックは、救命胴衣としての機能を持たせたリュックサックで、使用態様によって枕や座布団として利用することができるものである。当該公報の請求項２の記載及び図７及び図８に示されるように、リュックサック（Ａ）の連結ベルト（１２）で一連にした肩ベルト（３）、背面クッション（６）、背面バック（２）及びバック底用クッション（１５）の各クッション部に浮力材（５）を用い、それらの浮力を総合して、ライフジャケット（救命胴衣）としての機能を持たせたリュックサックとしている。このリュックサックをライフジャケットとして利用し、十分な浮力と浮力バランスを人体前面に確保するためには、背面バック（２）に厚手の浮力を持ったクッション材を用いバック底用クッション（１５）と繋げる。これらは通常時は小物入れ、取り外せば枕や座布団として利用することができ、図１２に示すように人体装着時には、面ファスナーで一体にまとめることで大きな浮力となるものである。（段落番号０００８参照）
【先行技術文献】
【特許文献】
【０００７】
【特許文献１】実用新案登録第３１８０６５２号公報
【特許文献２】実用新案登録第３１７５０５５号公報
【特許文献３】特開２０１３−６５２３号公報
【特許文献４】特開２００４−４１３９２号公報
【発明の概要】
【発明が解決しようとする課題】
【０００８】  東日本一帯に津波による甚大な被害をもたらした東日本大震災が記憶に新しい。また、異常気象による大雨での洪水が各地で被害をもたらしており年々多発する傾向にある。そこで、従来はあまり必要性を感じなかった救命胴衣を、防災用品の一つとして家庭、自家用車、職場、学校、公共施設などに備蓄しようという気運が高まっている。しかしながら多々ある防災用品のなかで救命胴衣という単一の機能しかなく、しかも嵩張るものを限りあるスペースの収納場所に備蓄しなければならないといったことも普及の妨げとなっている。【０００９】  また、東日本大震災の避難状況などの実態から、クッションマットとして利用することができる救命胴衣の従来技術には、下記に示すいくつかの課題がある。
（１）救命胴衣として、生命維持のための最低限の機能を満たす配慮がなされているか否か。
（２）クッションマットとして、避難した場所での体力消耗の防止や休息することへの配慮がなされているか否か。
（３）避難用品を、救命胴衣やクッションマットと同時に備える配慮がなされているか否か。
（４）避難時に持ち運び易さについて配慮がなされているか否か。【００１０】（１）救命胴衣として、生命維持のための最低限の機能を満たす配慮がなされているか否かについて述べる。
まず重要なことは、救命胴衣の装着者が意識を失った状態においても顔面が水中に没することなく確実に呼吸ができることである。一般的な救命胴衣としては、小型船舶用や磯釣りなどの釣り用のものがあるが、小型船舶用の救命胴衣は、安全基準と形式承認基準が定められており、浮力材に発泡プラスチックなどの固形物を使用した固形式や、炭酸ガスによる膨張式など様々な形式があり、その形状もチョッキ式、首掛け式、ジャンパー式など様々である。何れも十分な浮力を持つとともに、顔面を水上に支持し垂直より後傾の姿勢で浮遊するように設計されている。また、釣り用の救命胴衣は、特に安全基準は定められていないが、一般的に小型船舶用の安全基準に沿って設計されたり単に浮力材を備えて形成されたりしている。また、このような救命胴衣は、装着しての浮遊状態において、顔面が上方を向いた後傾姿勢で、口鼻を水面上十分な高さに露出させた浮遊姿勢を維持することができる。このような浮遊姿勢を維持することによって、装着者の浮遊中の状況（長時間の浮遊による疲労、体温低下、浮遊物との接触による外傷など）によって意識を失った場合であっても、顔面が下方を向いて、口鼻が水中に没して水を飲み込んだり呼吸ができなくなったりすることを防止することができる。この点、従来技術にはこのような配慮がなされているだろうか。【００１１】（２）クッションマットとして、避難した場所での体力消耗の防止や休息することへの配慮がなされているか否かについて述べる。
東日本大震災のような大規模災害においては、一時的に避難した場所から警察、消防、自衛隊、民間などの手によって救出されるまで相当の時間を要する。早くて数時間、場合によっては２〜３日要することも現実にある。このような避難状況下において、天候や気温などの状況にもよるが、如何に体力の消耗を防ぐかが、救出されるまでと救出後の体調に大きな影響を及ぼす。そのためには、クッションマットの上に全身を横たえて休息することで、床面の堅さや冷たさを緩和して身体を冷やさずに楽に休息することができる。しかしながら、救命胴衣とクッションマットを兼用にした場合、防災用品としての性格上、全身がクッションマットの上に横たえることができるサイズ設定にすることは、徒に嵩張らせることになり、かえって避難活動を阻害することになりかねない。この点、従来技術は、座布団あるいはそれを縦に２枚繋いだ長座布団程度のサイズであるので、概ね大人の身長が１７０ｃｍ程度とすれば、頭部から腹部あたりまでしか敷くことができず、体力消耗の防止や休息することへの配慮がなされているとは言い難い。クッションマットとしては、少なくとも頭部から大腿部あたりまでをカバーして敷けることが望ましい。【００１２】（３）避難用品を、クッションマット兼用救命胴衣に備える配慮がなされているか否かについて述べる。
津波から逃れて漂着したなど一時的に避難した場所において、避難用品があるか否かは救出されるまでの生命維持に大いにかかわる部分である。多くの場合は、救命胴衣やクッションマットなどと避難用品は別々に扱われているため、救命胴衣を着用していたからといって避難用品があるわけではない。最低限、ペットボトル入りの飲料水があるだけでもよいし、その他、非常食、懐中電灯、ラジオ、救急セット（常備薬、絆創膏など）、ホイッスル、保温アルミシート、軍手などの避難用品がクッションマット兼用救命胴衣に収納部が備えられていて同時にセットされていれば、一時的に避難した何もない場所であっても、救出されるまでの間、体力消耗を防止し、生命維持をすることができる。この点、従来技術にはこのような配慮がなされているとは言い難い。【００１３】（４）避難時の持ち運び易さについて配慮がなされているか否かについて述べる。
クッションマット兼用救命胴衣を避難時に持ち運ぶ場合、リュックサックのように背負えることは、両手がフリーに使えるので災害地での避難時において安全上とても有利である。肩掛け式でも両手がフリーになるが、荷物が腰回りで安定しないので安全上望ましくない。この点、従来技術にはこのような配慮がなされているとは言い難い。【００１４】  特許文献１の防災クッションは、以上説明した（１）から（４）の課題において、
（１）の救命胴衣として使用する場合、胴に巻き付けて使用するため、顔面が上方を向いた後傾姿勢で、口鼻を水面上十分な高さに露出させた浮遊姿勢を維持することができず、救命胴衣として最低限の機能を満たしているとはいえない。
（２）のクッションとして使用する場合、二つ折りに折り畳まずに広げた状態にして長い座布団としても、身長が１７０ｃｍ程度の大人であっても、横たわったとき頭部から腹部あたりまでしか敷くことができず、体力消耗の防止や休息といった観点から課題が残る。
（３）の避難用品を、クッションマット兼用救命胴衣に備えるといった配慮はなされていない。
（４）避難時の持ち運び易さについては、特に持ち運びを考慮したものではない。【００１５】  特許文献２の防災クッションは、以上説明した（１）から（４）の課題において、
（１）の救命胴衣として使用する場合、背中側の浮力体と前面側の浮力体で身体をサンドイッチするのみで後頭部を支える浮力体がないため、装着しての浮遊状態において、顔面が上方を向いた後傾姿勢で、口鼻を水面上十分な高さに露出させた浮遊姿勢を維持することができず、救命胴衣として最低限の機能を満たしているとはいえない。
（２）のクッションとして使用する場合、背中側の浮力体と前面側の浮力体を縦に並べたとしても、身長が１７０ｃｍ程度の大人であっても、横たわったとき頭部から腹部あたりまでしか敷くことができず、体力消耗の防止や休息といった観点から課題が残る。
（３）の避難用品を、クッションマット兼用救命胴衣に備えるといった配慮といった点では、救命胴衣が収納される袋体に救命胴衣を取り出した後に入れることはでき、この点は明細書にも記載されているが、通常は、救命胴衣が収納され椅子の座布団として使用されているため、予め避難用品を袋体に収納しておくといったことは考え難い。
（４）の避難時の持ち運び易さについては、袋体に備えられたベルトを肩に掛けることができるが、タスキ掛けにしたとしても腰回りで安定せず安全上望ましくなく避難行動に支障を来す恐れがある。【００１６】  特許文献３の救命胴衣兼用座布団は、以上説明した（１）から（４）の課題において、
（１）の救命胴衣として使用する場合、浮力部に形成された貫通孔に頭部を通すことで、装着しての浮遊状態において、顔面が上方を向いた後傾姿勢で、口鼻を水面上十分な高さに露出させた浮遊姿勢を維持することができるので、救命胴衣として最低限の機能を満たしているといえる。
（２）のクッションとして使用する場合、折り畳んだ状態で座布団として使用されるため、体力消耗の防止や休息といった観点から課題が残る。また、想定されていないがあえて折り畳んだ状態を開いて長い座布団として使用しようとした場合は、浮力体に形成される貫通孔と凸部によって甚だ居心地の悪いものになってしまう。
（３）の避難用品を、クッションマット兼用救命胴衣に備えるといった配慮はなされていない。
（４）避難時の持ち運び易さについては、特に持ち運びを考慮したものではない。【００１７】特許文献４のライフジャケット兼用リュックサックは、以上説明した（１）から（４）の課題において、
（１）の救命胴衣として使用する場合、背中側の浮力体と前面側の浮力体で身体をサンドイッチするのみで後頭部を支える浮力体がないため、装着しての浮遊状態において、顔面が上方を向いた後傾姿勢で、口鼻を水面上十分な高さに露出させた浮遊姿勢を維持することができず、救命胴衣として最低限の機能を満たしているとはいえない。
（２）のクッションとして使用する場合、背面バックとバック底用クッションを取り外して枕や座布団として利用することができるが、広げて伸ばしたとしても身長が１７０ｃｍ程度の大人であった場合、横たわったとき頭部から胸か腹部あたりまでしか敷くことができず、体力消耗の防止や休息といった観点から課題が残る。
（３）の避難用品を、クッションマット兼用救命胴衣に備えるといった点においては、リュックサック部分に収納すればよいが、リュックサックのバック本体は収納物が浮力材と成りえないので分離させる設定である。ただし、背面バッグに避難用品を収納すれば配慮されているといえる。
（４）避難時の持ち運び易さについては、もともとリュックサックであるので、問題はない。【００１８】  以上説明したように、特許文献１から４においては、上記課題の（１）乃至（４）についてすべて解決したものはない。【００１９】  そこで本発明は、前記した問題を解消し、救命胴衣として生命維持のための最低限の機能を満たす配慮がなされ、クッションマットとして避難した場所での体力消耗の防止や休息することへの配慮がなされ、避難用品を同時に備える配慮がなされ、避難時に持ち運び易さについての配慮が兼ね備えられた防災用クッションマット兼用救命胴囲を提供することを目的とする。
【課題を解決するための手段】
【００２０】  かかる課題を解決するために本発明の請求項１によれば、本体は、折り畳み可能に第１浮力体と第２浮力体と収納部とが連接して備えられ、該第１浮力体には四角形の開口部を備えるとともに、該開口部に嵌め込んで塞ぐ蓋体を該開口部の一辺に折り畳み可能に備えてなり、該蓋体は、表側蓋体と裏側蓋体とが折り畳み可能に連接されるとともに、該蓋体が折り畳まれた状態で該第１浮力体の厚みと同一になることで解決される。【００２１】  かかる課題を解決するために本発明の請求項２によれば、該開口部は、該第１浮力体と該第２浮力体とが連接される部分を一辺として、該第１浮力体の幅方向中央に四角形に開口したことで解決される。【００２２】  かかる課題を解決するために本発明の請求項３によれば、本体は、折り畳み可能に第１浮力体と第２浮力体と収納部とが連接して備えられ、該第１浮力体には四角形の開口部を備えるとともに、該開口部に嵌め込んで塞ぐ蓋体を該開口部の一辺に折り畳み可能に備えてなり、該蓋体は、表側蓋体と裏側蓋体とが折り畳み可能に連接されるとともに、該蓋体が折り畳まれた状態で該第１浮力体の厚みと同一になるように備えてなり、該本体をクッションマットとして使用したときに該第１浮力体は、身体の腰部から大腿部の範囲に敷かれ、該第２浮力体は、身体の肩部から腰部の範囲に敷かれ、該収納部は、身体の頭部から頚部を支えるように構成され、該本体を救命胴衣として使用したときに該第１浮力体は、頭部を支持し、該第２浮力体は、身体の胴体前面を支持し、該収納部は、該第２浮力体の補助浮力となるように構成されたことで解決される。【００２３】  かかる課題を解決するために本発明の請求項４によれば、該第２浮力体には、縦方向中央にスライドファスナーが備えられて該第２浮力体を左右に分割可能とし、該収納部は、該第２浮力体が縦方向中央で左右に分割されたことに伴って左右に離間するように左右別体として備え、該本体を救命胴衣として使用したときに身体に装着した該本体の前面を大きく開放できることで解決される。【００２４】  かかる課題を解決するために本発明の請求項５によれば、該収納部に水抜き部を備え、該本体を救命胴衣として使用したときに該収納部に侵入した水を水抜き部から排出して該本体の重量を軽くするようにしたことで解決される。【００２５】  かかる課題を解決するために本発明の請求項６によれば、一端を該裏側蓋体の開放側の一辺の左右両端部に取り付けられ、逆側の一端を第２浮力体の該収納部と連接される辺の幅方向両端に取り付けられた左右一対の肩ベルトを備え、該肩ベルトは、該本体を折り畳んだ状態のときには該本体を背負うためのベルトとして使用され、該本体を救命胴衣として使用したときには身体のウェストに固定するためのベルトとして使用されることで解決される。【００２６】  かかる課題を解決するために本発明の請求項７によれば、該第２浮力体の該収納部と連接される辺の幅方向に左右一対の脚ベルトを備え、該脚ベルトは、該本体を救命胴衣として使用するときに身体の脚の股部分を固定するためのベルトとして使用されることで解決される。
【発明の効果】
【００２７】本発明によれば、救命胴衣として生命維持のための最低限の機能を満たすこと、クッションマットとして避難した場所での体力消耗の防止や休息すること、避難用品を同時に備えること、避難時に持ち運び易いことを実現した防災用クッションマット兼用救命胴囲を提供することを可能とした。
【図面の簡単な説明】
【００２８】
【図１】本体のクッションマット状態の斜視図である。
【図２】本体のクッションマット状態の平面図である。
【図３】本体のクッションマット状態の底面図である。
【図４】本体のクッションマット状態の左側面図である。
【図５】蓋体の展開状態を示す左側面図である。
【図６】本体を折り畳んだ状態の正面側から見た斜視図である。
【図７】本体を折り畳んだ状態の背面側から見た斜視図である。
【図８】第１浮力体を展開した状態の正面側から見た斜視図である。
【図９】第１浮力体を展開した状態の背面側から見た斜視図である。
【図１０】本体をクッションマットとして使用した状態を示す図である。
【図１１】本体を身体に装着し前面側から見た状態を示す図である。
【図１２】本体を身体に装着し背面側から見た状態を示す図である。
【図１３】第２浮力体と収納部を左右に分割した状態を示す図である。
【発明を実施させるための形態】
【実施例】
【００２９】  本発明の防災用クッションマット兼用救命胴囲の実施例について、図面を参照して詳細に説明する。図１は、本体（１）のクッションマット状態の斜視図、図２は、本体のクッションマット状態の平面図、図３は、本体のクッションマット状態の底面図、図４は、本体のクッションマット状態の左側面図である。何れの図面も本体（１）を折り畳んだ状態から展開してクッションマットとした状態を示している。【００３０】  まず、本体（１）は、図１に示されるように第１浮力体（２）、第２浮力体（３）、収納部（４）が折り畳み可能に連接されるとともに、肩ベルト（５）と脚ベルト（６）とが本体（１）に備えられて全体が構成される。【００３１】  第１浮力体（２）は、本体（１）をクッションマットとして使用したときは概ね身体の腰部から大腿部に敷かれ、救命胴衣として使用したときは頭部を支えるための部材となる。そして第１浮力体（２）は、クッションマットとして使用するときのクッション効果及び断熱効果を得るためと、救命胴衣として使用したときの浮力を得るために発泡ウレタンからなる浮力材を、ナイロンやポリエステル生地などからなる外装材に内装して形成される。【００３２】  また、第１浮力体（２）には、救命胴衣として身体に装着するときに頭部を入れるための開口部（２ａ）が開口されている。開口部（２ａ）は、第１浮力体（２）と第２浮力体（３）とが連接される部分を一辺として、第１浮力体（２）の幅方向中央に四角形に開口する。また、開口部（２ａ）は、本体（１）をクッションマットとして使用するときと折り畳んだ状態で持ち運ぶときには開口している必要がないので開口部（２ａ）に丁度入り込む寸法の蓋体（２ｂ）によって塞がれる。【００３３】  図５は、蓋体（２ｂ）の展開状態を示す左側面図である。蓋体（２ｂ）は、ナイロンやポリエステルなどからなる外装生地の中に浮力材として発泡ウレタンが内装されて形成され、前記した本体（１）をクッションマットとして使用するときと折り畳んだ状態で持ち運ぶときに開口部（２ａ）を塞ぐ目的と、本体（１）を救命胴衣として使用する際の背中側の浮力を得る目的と、肩ベルト（５）をウェスト固定ベルトとして使用するためにウェスト位置に移動させる目的で備えられた部材である。【００３４】  また、蓋体（２ｂ）は、図５に示されるように表側蓋体（２ｂ−１）と裏側蓋体（２ｂ−２）とが折り畳み可能に連接され、表側蓋体（２ｂ−１）の裏側蓋体（２ｂ−２）と連接した辺の対辺を、開口部（２ａ）の第１浮力体（２）と第２浮力体（３）とが連接された辺の対辺と折り畳み可能に連接して備える。このように第１浮力体（２）の開口部（２ａ）に連接された蓋体（２ｂ）は、図５（Ａ）に示されるように蓋体（２ｂ）を開口部（２ａ）から展開し始めた状態から、図５（Ｂ）に示されるように蓋体（２ｂ）を開口部（２ａ）から展開しきった状態に変位する。【００３５】  さらに、図５に示されるように、蓋体（２ｂ）は、表側蓋体（２ｂ−１）と裏側蓋体（２ｂ−２）とを折り畳み可能に連接し、表側蓋体（２ｂ−１）の一辺が開口部（２ａ）の一辺と折り畳み可能に連接される。さらに、表側蓋体（２ｂ−１）と裏側蓋体（２ｂ−２）とを折り畳んだ状態では、第���浮力体（２）の厚みと同一になり、本体（１）をクッションマットとして使用するときに違和感を与えない。また、裏側蓋体（２ｂ−２）の開放側の一辺には、肩ベルト（５）が取り付けられており、図２及び図３に示されるようにバックル（５ａ）を介して第２浮力体（３）の下方両端に連結される。【００３６】  第２浮力体（３）は、本体（１）をクッションマットとして使用したときは概ね身体の肩部から腰部あたりに敷かれ、救命胴衣として使用したときは身体の胴体前面を支持する部材である。そして第２浮力体（３）は、第１浮力体（２）と同様にクッションマットとして使用するときのクッション効果及び断熱効果を得るためと、救命胴衣として使用するときの浮力を得るために発泡ウレタンからなる浮力材を、ナイロンやポリエステル生地などからなる外装材に内装して形成される。【００３７】  また、第２浮力体（３）には、縦方向中央にスライドファスナー（３ａ）が備えられ、左右に分割することができる。そして、第１浮力体（２）の開口部（２ａ）が第１浮力体（２）と第２浮力体（３）とが連接される部分を一辺としているので、第２浮力体（３）のスライドファスナー（３ａ）を外したとき、前面が大きく開くことになる。これによって図１３に示されるように、本体（１）を救命胴衣として使用したときに前側を大きく開くことができるので、本体（１）の身体からの取り外しが極めて容易になる。【００３８】  収納部（４）は、避難用品を収納することはもとより、本体（１）をクッションマットとして使用したときには身体の頭部から頚部を支える枕として、救命胴衣として使用したときには第２浮力体（３）の補助浮力として活用される部材である。収納部（４）は、ナイロンやポリエステル生地などからバッグ状に形成され左右別体に備えられる。左右別体に備えられた収納部（４）は、第２浮力体（３）のスライドファスナー（３ａ）を外して左右に分割することに伴って左右に分割される。そして、収納部（４）の側面と上面には、避難用品を収納するためにスライドファスナー（４ａ）を備える。【００３９】  また、図４に示されるように収納部（４）の内部には、前記第１浮力体（２）及び第２浮力体（３）と同様に、発泡ウレタンからなる浮力材（４ｂ）が備えられ、クッションマットとして使用するときのクッション効果及び断熱効果を得ることと、救命胴衣として使用するときの身体前面側の浮力体である第２浮力体（３）の補助浮力を得ることができる。【００４０】  さらに、収納部（４）の下方には水抜き部（４ｄ）が備えられている。水抜き部（４ｄ）は、図においてはメッシュ状の生地で形成し、本体（１）を救命胴衣として使用して水中から上がる際、収納部（４）に溜まった水を自然に素早く排出することで本体（１）が軽くなり容易に水中から上がることができる。また、水抜き部（４ｄ）は、メッシュ状の生地で形成したが、収納部（４）の下方から水が抜ければよいので、複数のハトメを収納部（４）の底部に付けてハトメの穴から水が抜けるようにしてもよい。なお、収納部（４）には、ペットボトル飲料水、非常食、懐中電灯、ラジオ、救急セット（常備薬、絆創膏など）、ホイッスル、保温アルミシート、軍手などの避難用品が適宜選択されて収納され、避難時に必要に応じて使用される。【００４１】  肩ベルト（５）は、本体（１）を折り畳んだ状態で持ち運ぶときに背負う目的と、救命胴衣として使用したとき身体のウェストに巻いて固定するための目的で備えられた部材である。肩ベルト（５）は、ナイロンなどの平ベルトからなり、上側の端部は、図５に示されるように裏側蓋体（２ｂ−２）の開放側の一辺を左右両端部取り付けられ、逆側の一端は、図２及び図３に示されるように第２浮力体（３）の該収納部（４）と連接される辺の幅方向両端に取り付けられ左右一対で本体（１）に備えられる。また、肩ベルト（５）には、バックル（５ａ）が備えられ本体（１）を容易に身体から切り離すことが可能であるとともに、バックル（５ａ）に備えられたアジャスター部（図示せず）によって、ベルト端部（５ｂ）を伸ばしたり絞ったりすることで長さ調整が可能である。なお、本体（１）をクッションマットとして使用する場合は、肩ベルト（５）を使用しないが、図５及び図６に示されるように本体（１）を折り畳んだ状態で避難時に持ち運ぶときには、リュックサックのように背負って持ち運ぶことが可能である。また、本体（１）を救命胴衣として身体に装着するときには、図１１及び図１２に示されるように身体のウェストに巻き付けて装着されるが、このときバックル（５ａ）に通したベルトのベルト端部（５ｂ）を引き絞ることでウェストにフィットさせることができるので確実に救命胴衣を装着することができる。【００４２】  脚ベルト（６）は、本体（１）を救命胴衣として身体に装着した場合に、脚の股部分に固定して救命胴衣の脱落を防止するための部材である。脚ベルト（６）は、ナイロンなどの平ベルトからなり、図２及び図９に示されるように第２浮力体（３）の収納部（４）と連接される辺の幅方向に左右一対で備えられ、図１１及び図１２に示されるように、本体（１）を救命胴衣として身体に装着したときには、両脚の股部分に固定して使用される。なお、脚ベルト（６）にはバックル（６ａ）が備えられているので肩ベルト（５）と同様に、容易に股部分から取り外すことが可能であるとともに、バックル（６ａ）に備えられたアジャスター部（図示せず）によって、ベルト端部を伸ばしたり絞ったりして長さ調整をすることで股部分にフィットさせて確実に救命胴衣を装着することができる。【００４３】  次に、本体（１）を折り畳んだ状態について図面を参照して詳細に説明する。図６は、本体を折り畳んだ状態の正面側から見た斜視図、図７は、本体を折り畳んだ状態の背面側から見た斜視図、図８は、第１浮力体（２）を展開した状態の正面側から見た斜視図、図９は、第１浮力体（２）を展開した状態の背面側から見た斜視図である。【００４４】  本体（１）は、第１浮力体（２）、第２浮力体（３）、収納部（４）が折り畳み可能に連接され、図４に示される折り畳み方向の矢印に従って折り畳むことで図６及び図７の状態となる。折り畳む手順としては、まず、第２浮力体（３）と収納部（４）とは、図３に示されるように第２浮力体（３）に備えられた複数の面ファスナー（２ａ）と収納部（４）に備えられた複数の面ファスナー（４ｃ）とを合わせて接着することで、第２浮力体（３）と収納部���４）との折り畳み状態となる。そして、第１浮力体（２）を収納部（４）に覆い被せるように折り畳み、第１浮力体（２）と収納部（４）に備えられた固定バックル（２Ｃ）を接続して折り畳み状態を維持することができる。【００４５】  このように折り畳まれた本体（１）は、肩ベルト（５）でリュックサックのように背負うことができるので、災害地での避難時に本体（１）を持ち運ぶときに両手がフリーとなって安全上大変有利である。また、収納部（４）には、予め避難用品を収納しておくことで、クッションマットや救命胴衣として使用しなければならなくなった災害時において救出されるまでの間、体力消耗を防止し生命維持をすることができる。また避難所においても、取り敢えずの飲料水や非常食の配給を待つ必要がない。【００４６】  本体（１）をクッションマットとして使用する場合について図１及び図１０を参照して詳細に説明する。図１０は、本体（１）をクッションマットとして使用した状態を示す図で、成人男性の平均的な身長を１７６ｃｍとして本体（１）に仰向けに横たわらせた状態を示している。また、収納部（４）、第２浮力体（３）、第１浮力体（２）のそれぞれの長さ寸法は、収納部（４）が約４０ｃｍ、第２浮力体（３）が約４２ｃｍ、第１浮力体（２）が約４４ｃｍで全長約１２６ｃｍである。【００４７】  前記した手順で折り畳まれた本体（１）は、その逆順で展開してクッションマットとして使用することができる。図１０に示されるように、身長１７６ｃｍの成人男性が仰向けに横たわった状態では、収納部（４）は枕として利用することができ、収納物によって嵩が生じるとともに、発泡ウレタンからなる浮力材（４ｂ）によって、クッション性と断熱性を備えることができる。また、収納部（４）に続いて連接された第２浮力体（３）は、概ね身体の肩部から腰部あたりに敷かれ、第２浮力体（３）に続いて連接された第１浮力体（２）は、身体の腰部から大腿部あたりまでをカバーして、そのクッション効果及び断熱効果によって、床面の堅さや冷たさを緩和して身体を冷やさずに体力の消耗を防いで休息することができる。このとき、収納部（４）に保温アルミシートがあれば、身体を覆うことで保温してさらに体力の消耗を防ぐことができる【００４８】  本体（１）を救命胴衣として使用する場合について図１１乃至図１３を参照して詳細に説明する。図１１は、本体（１）を身体に装着し前面側から見た状態を示す図、図１２は、本体（１）を身体に装着し背面側から見た状態を示す図、図１３は、第２浮力体（３）と収納部（４）とを左右に分割した状態を示す図である。【００４９】  そこで、折り畳まれた本体（１）の身体への装着手順について説明する。
（１）第１浮力体（２）と収納部（４）に備えられた固定バックル（２ｃ）を外して第１浮力体（２）を跳ね上げる。
（２）第１浮力体（２）の開口部（２）を塞いでいる蓋体（２ｂ）を第１浮力体（２）から下方に引き出し開口部（２）を開口させる。
（３）第１浮力体（２）の背面側から開口部（２ａ）に頭部を入れる。
（４）左右の脚ベルト（６）を、左右の脚の股に装着してしっかり固定する。
（５）肩ベルト（５）をウェストに装着してしっかり固定する。【００５０】  以上のように救命胴衣として身体に装着された本体（１）は、肩ベルト（５）でウェストを固定するとともに、脚ベルト（６）で両脚の股の部分を固定するので、身体に確実に装着することができ、本体（１）がずり上がったり、波によって脱げてしまったりすることを防止する。また、第１浮力体（２）が後頭部に位置するとともに、第２浮力体（３）及び収納部（４）が胸に位置することになり、口鼻を水面上十分な高さに露出させて確実に呼吸できる後傾した姿勢で浮遊することができる。このため、装着者が意識を失った状態であっても、顔面が下方を向いて、口鼻が水中に没して水を飲み込んだり呼吸ができなくなったりすることを防止することができる。さらに、収納部の下方は水抜き部（４ｄ）をメッシュ状の生地で形成したので、水中から上がるときに、収納部（４）に溜まった水を自然に素早く排出して本体（１）を軽くすることができるので容易に水中から這い上がることができる。さらに、本体（１）を身体に装着した状態での肩部分には、再帰反射性の反射素材からなる反射テープ（３ｃ）が備えられているので、夜間の捜索において装着者を発見しやすくなる。【００５１】  図１３は、第２浮力体（３）と収納部（４）とを左右に分割した状態を示す図である。第２浮力体（３）は、左右に分割可能なように縦方向中央にスライドファスナー（３ａ）が備えられるとともに、収納部（４）は、第２浮力体（３）と合わせて左右に分割可能なように別体に形成されている。また、第１浮力体（２）の開口部（２ａ）が第１浮力体（２）と第２浮力体（３）とが連接される部分を一辺としているので、第２浮力体（３）のスライドファスナー（３ａ）を外したとき、開口部（２ａ）を含めて前面が大きく開くことになる。これによって図１３に示されるように、本体（１）を救命胴衣として使用したときに身体の前面側を大きく開いて開放することができるので、本体（１）の身体からの取り外しが極めて容易になる。【００５２】  以上のように構成された本体（１）は、普段は収納部に避難用品を収納し折り畳んだ状態で、家庭、自家用車、職場、学校、公共施設などに災害時の備えとして備蓄しておき、災害時にクッションマットや救命胴衣として状況に応じて素早く使用することができる。
【符号の説明】
【００５３】１          本体
２          第１浮力体
２ａ        開口部
２ｂ        蓋体
２ｂ−１    表側蓋体
２ｂ−２    裏側蓋体
２ｃ        固定バックル
３          第２浮力体
３ａ        面ファスナー
３ｂ        スライドファスナー
４          収納部
４ａ        スライドファスナー
４ｂ        浮力材
４ｃ        面ファスナー
５          肩ベルト
５ａ        バックル
６          脚ベルト
６ａ        バックル
【図１】
2015067267.tif 000003
【図２】
2015067267.tif 000004
【図３】
2015067267.tif 000005
【図４】
2015067267.tif 000006
【図５】
2015067267.tif 000007
【図６】
2015067267.tif 000008
【図７】
2015067267.tif 000009
【図８】
2015067267.tif 000010
【図９】
2015067267.tif 000011
【図１０】
2015067267.tif 000012
【図１１】
2015067267.tif 000013
【図１２】
2015067267.tif 000014
【図１３】
2015067267.tif 000015